(57)【特許請求の範囲】
【請求項１】
踏台部の側面に該踏台部より一段低い段部が一体成形されたＦＲＰ、ＢＭＣ、ＳＭＣのいずれかの成形体を、建物の勝手口等の外側の設置面にアンカーで固定して成るステップ装置であって、上記の成形体は下端が開口した中空体に成形され、成形体の開口した下端には、内側に突出するフランジ部が一体成形されると共に、その四隅には上方へ凹入した段差部が形成されており、それぞれの段差部には、二つの孔を穿設した固定片が、固定片の一方の孔からボルトを段差部の孔へ挿通し、上方からナットで締付けることにより側方へ突き出して取付けられており、固定片の他方の孔から前記アンカーを前記設置面に打込むことによって前記成形体が固定されていることを特徴とする、勝手口等のステップ装置。
【請求項２】
踏台部の天板の裏面に補強パイプ又は補強棒が埋設されていることを特徴とする、請求項１に記載の勝手口等のステップ装置。
【請求項３】
前記成形体の踏台部の天板上面及び段部の天板上面が少し傾斜し、これらの傾斜した天板上面に滑止用の凹凸模様が形成されていることを特徴とする、請求項１又は請求項２に記載の勝手口等のステップ装置。
【請求項４】
前記凹凸模様の凹部が排水通路となるように連続していることを特徴とする請求項３に記載の勝手口等のステップ装置。
【発明の詳細な説明】
【０００１】
【発明の属する技術分野】
本発明は、建物の勝手口等の外側に設置される出入り用のステップ装置に関する。
【０００２】
【従来の技術】
建物の勝手口と外側の地面との間には段差があるため、従来から容易に出入りできるようにコンクリート製の踏台等が設けられている。けれども、コンクリート製の踏台は現場施工によって設けられるものであるため、素人では施工が難しく、工費が高くつくという問題があった。
【０００３】
このような事情から、素人でも設置可能な合成樹脂製のステップ装置が提案されるようになった。その代表的なものは、ブロー成形の手段によって踏台の側面に該踏台より低い段部を一体成形した階段型のステップ装置であり、この装置は勝手口の外側の地面に単に置いて使用するものである。
【０００４】
【発明が解決しようとする課題】
しかしながら、上記のように踏台と段部を一体にブロー成形した中空構造のステップ装置は強度が充分でないため、体重の大きい人が乗ると、踏台の上面や段部の上面が撓んだりベコベコしやすく、踏みしめた感覚が頼りないとい問題があった。かといって、強度を上げるために踏台や段部の肉厚を厚くすると、重量が増して持ち運びや施工がし辛くなるという問題があった。
【０００５】
また、上記のステップ装置は勝手口の外側の地面に単に置いて使用するものであるから、横方向の大きい外力が作用すると移動しやすいという問題もあった。
【０００６】
更に、ブロー成形した合成樹脂製のステップ装置は、その踏台の上面や段部の上面が滑り易いという問題があり、特に、上面が雨水で覆われると非常に滑り易くなるため、足を滑らせて転倒する危険性があった。
【０００７】
本発明は、これらの問題を解決し得る勝手口等のステップ装置の提供を目的とするものである。
【０００８】
【課題を解決するための手段】
上記の目的を達成するため、本発明の請求項１に係る勝手口等のステップ装置は、踏台部の側面に該踏台部より一段低い段部が一体成形されたＦＲＰ、ＢＭＣ、ＳＭＣのいずれかの成形体を、建物の勝手口等の外側の設置面にアンカーで固定して成るステップ装置であって、上記の成形体は下端が開口した中空体に成形され、成形体の開口した下端には、内側に突出するフランジ部が一体成形されると共に、その四隅には上方へ凹入した段差部が形成されており、それぞれの段差部には、二つの孔を穿設した固定片が、固定片の一方の孔からボルトを段差部の孔へ挿通し、上方からナットで締付けることにより側方へ突き出して取付けられており、固定片の他方の孔から前記アンカーを前記設置面に打込むことによって前記成形体が固定されていることを特徴とするものである。
【０００９】
このステップ装置は、成形体が下端の開口した中空体であるため軽量であり、素人でも、該成形体を勝手口等の外側の設置面にアンカーで固定するだけの簡単な作業によって容易に施工でき、このようにアンカーで固定すると横方向の外力が作用しても成形体が移動する心配はなくなる。また、固定片を成形体の四隅の下端に一体成形する場合は、成形体の輸送中や持運びの際に該固定片が折損する恐れがあるが、このステップ装置のように固定片を後から取付けるようにすると折損の問題がなくなり、該固定片の孔からアンカーを打込むだけの簡単な作業で確実に成形体を固定することが可能となる。
【００１０】
次に、請求項２に係る勝手口等のステップ装置は、上記請求項１のステップ装置において、踏台部の天板の裏面に補強パイプ又は補強棒が埋設されていることを特徴とするものである。
【００１１】
かかるステップ装置の成形体は硬くて丈夫なＦＲＰ，ＢＭＣ，ＳＭＣのいずれかの成形体であり、しかも、該成形体の踏台部の天板の裏面には補強パイプ又は補強棒が埋設されているので、この踏台部に体重の大きい人が乗っても、踏台部の天板が撓んだりベコベコすることがなく、踏みしめた感覚がしっかりして安定感が増す。
【００１２】
次に、請求項３に係る勝手口等のステップ装置は、上記請求項１又は請求項２のステップ装置において、前記成形体の踏台部の天板上面及び段部の天板上面が少し傾斜し、これらの傾斜した天板上面に滑止用の凹凸模様が形成されていることを特徴とするものである。
【００１３】
かかるステップ装置は、踏台部の天板上面及び段部の天板上面が少し傾斜しているため、雨水が流れ落ちて天板上面に滞溜し難く、該天板上面に滑止用の凹凸模様が形成されていることと相俟って、良好な滑止め効果を発揮することができる。
【００１４】
次に、請求項４に係る勝手口等のステップ装置は、上記請求項３のステップ装置において、前記凹凸模様の凹部が排水通路となるように連続していることを特徴とするものである。
【００１５】
かかるステップ装置は、踏台部の天板上面や段部の天板上面に降った雨水が、排水通路となる連続した凹凸模様の凹部を通ってスムーズに流れ落ちるため、滑止め効果が一層向上する。
【００１６】
【発明の実施の形態】
以下、図面を参照して本発明の具体的な実施形態を詳述する。
【００１７】
図１は本発明の一実施形態に係る勝手口のステップ装置の斜視図、図２は同ステップ装置の成形体の平面図、図３は図２のＡ−Ａ線断面図、図４は同成形体の底面図、図５は図２のＢ−Ｂ線断面図、図６は同成形体の固定片取付部分の拡大断面図、図７は同ステップ装置の施工法の説明図である。
【００１８】
このステップ装置は、図１に示すように建物の勝手口１の外側の設置面２（地面）に、勝手口１より低い階段型の成形体３を設置したものである。
【００１９】
この実施形態の成形体３は、硬くて丈夫なＦＲＰ（繊維強化プラスチック）より成る成形体であって、図２〜図５に示すように、踏台部３ａの側面に該踏台部３ａの約半分の高さの段部３ｂが一体成形されたものである。踏台部３ａの具体的な大きさは、高さが約５０ｃｍ程度、横幅が約９０ｃｍ程度、奥行きが約８０ｃｍ程度であり、また、段部３ｂの具体的な大きさは、高さが約２５ｃｍ程度、横幅が約３０ｃｍ程度、奥行きが約８０ｃｍ程度である。尚、踏台部３ａや段部３ｂは上記の大きさに限定されないことは言うまでもい。
【００２０】
図３〜図５に示すように、このＦＲＰ製の成形体３は、下端が開口した中空体に成形され、実用的な強度を付与するために肉厚が２〜７ｍｍ程度に設定されている。そして、踏台部３ａの天板３ｃに人が乗ったとき、該天板３ｃが撓んだりベコベコするのを防止するために、該天板３ｃの裏面に金属製の２本の補強パイプ４，４が間隔をあけて平行に埋設されている。これらの補強パイプ４，４は、ハンドレーアップ法によってＦＲＰ製の成形体３を成形する際に、その踏台部３ａの天板３ｃの裏面に図示のごとく筒状に被覆されて埋設されたものである。
【００２１】
補強パイプ４としては、一辺の長さが２〜６ｃｍ程度で肉厚が０．５〜３ｍｍ程度の鉄、アルミニウム等の金属製の角パイプや、直径（外径）が２〜６ｃｍ程度で肉厚が０．５〜３ｍｍ程度の鉄、アルミニウム等の金属製の丸パイプなどが好ましく使用されるが、このような金属製の補強パイプ４に代えて、一辺の長さ又は直径が５〜２０ｍｍ程度の金属製の補強棒（角棒又は丸棒）や、Ｌ形又はＣ形のチャンネル材からなる補強棒を使用してもよい。
【００２２】
この実施形態の成形体３では２本の補強パイプ４を埋設しているが、埋設する補強パイプや補強棒の本数は特に制限がなく、要するに、踏台部３ａの天板３ｃの撓みやベコツキを防止できる本数だけ埋設すればよい。但し、あまり本数が多くなると、成形体３の重量増加が著しくなるので、２〜３本程度が適当である。
【００２３】
また、この実施形態の成形体３では、段部３ｂの天板３ｄの面積が踏台部３ａの天板３ｃの面積の約１／３と小さく、該段部３ｂの天板３ｄに人が乗っても撓みやベコツキが生じ難いので、該段部３ｂの天板３ｄの裏面には補強パイプや補強棒を埋設していないが、場合によっては、該天板３ｄの裏面に補強パイプや補強棒を埋設してもよい。
【００２４】
図３に示すように、成形体３の踏台部３ａの天板３ｃの上面は、段部３ｂの方に向かって低くなるように少し傾斜しており、段部３ｂの天板３ｄの上面も同様に少し傾斜している。そして、これらの天板３ｃ，３ｄの上面に滑止用の凹凸模様３ｅが形成されている。
【００２５】
この凹凸模様３ｅは、天板３ｃ，３ｄの端縁沿いに多数平行に形成された矩形状凸部３０ｅと、その内側に並べて形成された叩き目調のタイル状凸部３１ｅと、これら矩形状凸部及びタイル状凸部のそれぞれの相互間の凹部３２ｅとから成るもので、該凹部３２は排水通路を形成するように連続している。
【００２６】
上記のように、踏台部３ａと段部３ｂのそれぞれの天板３ｃ，３ｄの上面が少し傾斜し、滑止用の凹凸模様３ｅの凹部３２ｅが排水通路となるように連続していると、天板３ｃ，３ｄの上面に降った雨水が、排水通路となる凹部３２ｅに沿って低い方へスムーズに流れ落ちるため、天板３ｃ，３ｄの上面に雨水が滞溜し難くなり、該天板上面に形成された凹凸模様３ｅと相乗して良好な滑止め効果を発揮できるようになる。
【００２７】
天板３ｃ，３ｄの勾配の大きさは特に限定されないが、０．５／１００〜３／１００程度の勾配があれば充分であり、これより勾配が大きくなると却って滑り易くなり、体裁も悪くなるので好ましくない。最も好ましい勾配は略１／１００である。
【００２８】
この実施形態の成形体３では、上記のように踏台部３ａの天板３ｃの上面が段部３ｂの方に向かって低くなるように傾斜し、段部３ｂの天板３ｄの上面も同じ方向に傾斜しているが、これとは逆向きに傾斜させてもよく、また、前方もしくは後方に向かって傾斜させてもよい。
【００２９】
図４に示すように、成形体３の開口した下端には、内側へ突出するフランジ部３ｆが一体成形されており、その四隅には上方へ凹入した段差部３ｇが形成されている。そして、それぞれの段差部３ｇには、二つの孔６ａ，６ａを穿設した金属製の矩形板状の固定片６が側方へ突き出して取付けられている。この固定片６の取付けは、図６に示すように、固定片６の一方の孔６ａからボルト５ａを段差部３ｇの孔３ｈへ挿通し、上方からナット５ｂで締付けることによって行われている。
【００３０】
この実施形態のステップ装置は、上記のような成形体３を用いて、次の要領で簡単に施工される。
【００３１】
まず、図７に示すように、建物の勝手口１の外側の設置面２（地面）を数センチ程度掘り下げて平らにならす。そして、その上に前記の成形体３を設置し、四隅に取付けた固定片６の他方の孔６ａからＬ形ピン状のアンカー７を打込んで成形体３を固定したのち、図１に示すように成形体３の周囲に土を埋め戻して固定片６やアンカー７を埋めると、ステップ装置が完成する。
【００３２】
このようなステップ装置は、成形体３が下端の開口した中空体であるため軽量であり、素人でも上記の要領で簡単に施工することが可能であって、しかも、成形体３がアンカー７で固定されるため、横方向の外力が作用しても成形体３が移動する心配はない。また、成形体３は硬くて丈夫なＦＲＰ製の成形体であって、踏台部３ａの天板３ｃの裏面に補強パイプ４が埋設されているため、この踏台部３ａに体重の大きい人が乗っても、踏台部の天板３ｃが撓んだりベコベコすることがなく、踏みしめた感覚がしっかりして安定感が増す。
【００３３】
更に、踏台部３ａの天板３ｃの上面及び段部３ｂの天板３ｄの上面は少し傾斜し、これらの上面に形成された滑止用の凹凸模様３ｅの凹部３２ｅが排水通路となるように連続しているため、雨水がこれらの天板３ｃ，３ｄの上面に滞溜することがなく、凹凸模様３ｅと相俟って良好な滑止め効果が発揮される。従って、足を踏み滑らせて転倒する危険を充分に回避することが可能となり、安全性が向上する。
【００３４】
上記実施形態のステップ装置では、ＦＲＰ製の成形体３を使用しているが、ＦＲＰに代えて丈夫なＢＭＣ（バルクモールディングコンパウンド）やＳＭＣ（シートモールディングコンパウンド）で踏台部３ａと段部３ｂを一体成形した成形体を使用しても勿論よい。その場合、固定片６の取付けは、図８に示すように、段差部３ｇを形成した成形体３の四隅の壁の厚みを大きくしてインサートナット５ｃを埋設し、固定片６の一方の孔６ａからボルト５ａをインサートナット５ｃへねじ込むか、或は、図９に示すように、Ｌ形金具５ｄを成形体３の段差部３ｇと側壁に沿わせてリベット５ｅ等で固定し、固定片６の一方の孔６ａからボルト５ａを段差部の孔３ｈを通してＬ形金具５ｄのネジ孔にねじ込む等の手段によって取付けることが好ましい。
【００３５】
尚、固定片は成形体３の四隅の下端に一体成形してもよいが、その場合は成形体３の輸送中や持運びの際に該固定片が折損する恐れがあるので、図６，図８，図９に示すような取付手段によって施工の際に固定片６を取付けるように構成することが望ましい。
【００３６】
以上のような本発明のステップ装置は、勝手口１以外の段差のある全ての出入口に適用可能であることは言うまでもない。
【００３７】
【発明の効果】
本発明の勝手口等のステップ装置は、素人でも簡単且つ安価に施工でき、体重の大きい人が乗っても踏台部の天板に撓みやベコツキを生じることがなく、踏みしめた感覚がしっかりしているため安定感があり、外力が作用しても成形体が移動して位置ズレする心配がなく、雨が降っても雨水が天板に滞溜せず、滑止用の凹凸模様と相乗して良好な滑止め効果を発揮するため安全性が向上するなど、多くの顕著な効果を奏する。
【図面の簡単な説明】
【図１】本発明の一実施形態に係る勝手口のステップ装置の斜視図である。
【図２】同ステップ装置の成形体の平面図である。
【図３】図２のＡ−Ａ線断面図である。
【図４】同成形体の底面図である。
【図５】図２のＢ−Ｂ線断面図である。
【図６】同成形体の固定片取付部分の拡大断面図である。
【図７】同ステップ装置の施工法の説明図である。
【図８】固定片の異なる取付方を示す部分拡大断面図である。
【図９】固定片の更に異なる取付方を示す部分拡大断面図である。
【符号の説明】
１  勝手口
２  設置面
３  成形体
３ａ  踏台部
３ｂ  段部
３ｃ  踏台部の天板
３ｄ  段部の天板
３ｅ  滑止用の凹凸模様
３２ｅ  凹凸模様の凹部
４  補強パイプ
６  固定片
６ａ  固定片の孔
７  アンカー
【図１】
0004146029.tif 000002
【図２】
0004146029.tif 000003
【図３】
0004146029.tif 000004
【図４】
0004146029.tif 000005
【図５】
0004146029.tif 000006
【図６】
0004146029.tif 000007
【図７】
0004146029.tif 000008
【図８】
0004146029.tif 000009
【図９】
0004146029.tif 000010